(57)【要約】【課題】本発明は、ユーザが購入した商品の情報を有効に活用して、容易に家計簿作成を行ったり、食事指導を施すと共に、コンビニエンスストア等の食材提供側にも顧客に不足する食材に関する情報を出力できる商品情報活用システムを提供する。【解決手段】ＵＳＢキー５に集計済みの家計簿データを記憶しておき、ユーザが購入した商品のレシート情報をＰＯＳ端末２から入力して、接続されたＵＳＢキー５等に記憶し、ユーザＰＣ４にＵＳＢキー５を挿入してレシート情報と家計簿データを読み込み、レシート情報活用サーバ１に出力すると、レシート情報活用サーバ１がレシート情報を分類集計して家計簿データを更新してユーザＰＣ４に家計簿を表示するシステムであり、また、レシート情報の中の食品の情報に基づいて、レシート情報活用サーバ１が食生活支援を行う商品情報活用システムである。【選択図】        図１
2004178476.tif 000002
【特許請求の範囲】
【請求項１】
ユーザが購入した品物やサービスに関する情報を入力し、前記情報を外部記憶装置にレシート情報として出力するＰＯＳ端末と、
前記ＰＯＳ端末から入力されたレシート情報と集計済みの家計簿データとを記憶する外部記憶装置と、
前記外部記憶装置から読み出されたレシート情報と前記家計簿データについて、前記レシート情報を項目毎に分類し、前記家計簿データと合わせて集計して家計簿データを更新するレシート情報活用サーバとを備えたことを特徴とする商品情報活用システム。
【請求項２】
外部記憶装置が、レシート情報活用サーバにアクセスするためのＵＲＬとブラウザプログラムとを記憶し、ネットワークに接続するコンピュータで前記ブラウザプログラムが起動されると、前記ＵＲＬが示すレシート情報活用サーバにアクセスする外部記憶装置であることを特徴とする請求項１記載の商品情報活用システム。
【請求項３】
入力されたユーザの識別子とレシート情報とを対応付けて出力するＰＯＳ端末と、
ＰＯＳ端末から入力されたレシート情報とユーザの識別子とを対応付けて記憶しておき、ユーザ利用のコンピュータから識別子を指定してレシート情報の要求があると、前記識別子に対応するレシート情報を出力する店舗サーバと、
ユーザの識別子に対応して、前記識別子に対応するレシート情報を集計した家計簿データを記憶し、前記店舗サーバからユーザＩＤとレシート情報とが入力されると、前記レシート情報に基づいて前記ユーザＩＤに対応する家計簿データを更新するレシート情報活用サーバとを備えたことを特徴とする商品情報活用システム。
【請求項４】
釣り銭で購入したポイントを蓄積する外部記憶装置と、
ユーザによって、現金精算時に発生した釣り銭でポイントが購入された場合に、前記外部記憶装置にポイントを加算して蓄積するＰＯＳ端末とを備え、
前記ポイントが、商品購入やサービス享受が可能なポイントであることを特徴とする商品情報活用システム。
【請求項５】
外部記憶装置が、ポイントを購入する釣り銭の範囲を予め設定可能な外部記憶装置であり、
ＰＯＳ端末が、前記外部記憶装置から前記釣り銭の範囲を読み取って、現金精算時に発生した釣り銭の中から、前記範囲に応じた金額でポイントを購入するＰＯＳ端末であることを特徴とする請求項４記載の商品情報活用システム。
【請求項６】
ユーザの識別子と当該ユーザが購入した食品／食材の情報を入力するＰＯＳ端末と、
前記ＰＯＳ端末に入力されたユーザの識別子と食品／食材の情報を取得する管理センタと、
理想的な食事摂取状況のデータを記憶するデータベースと、
ユーザの識別子に対応する食品／食材の情報を前記管理センタから取得し、前記データベースに記憶された理想的な食事摂取状況のデータと比較して当該ユーザに対する食事指導を提供する食生活支援サーバとを有することを特徴とする商品情報活用システム。
【請求項７】
ＰＯＳ端末には、ＩＣカードリーダを備え、ユーザの識別子を記憶したＩＣカードから当該ユーザの識別子を読み取って管理センタに出力する端末であることを特徴とする請求項６記載の商品情報活用システム。
【請求項８】
食生活支援サーバにアクセス可能なユーザ利用のコンピュータ又は携帯電話を備え、前記食生活支援サーバは、前記コンピュータ又は前記携帯電話に食事指導の内容を提供するサーバであることを特徴とする請求項６又は７記載の商品情報活用システム。
【請求項９】
ＰＯＳ端末は、コンビニエンスストアに設けられたコンビニＰＯＳ端末を含み、管理センタは、前記コンビニエンスストアを統括するコンビニ管理センタを含み、前記管理センタで取得したユーザの識別子と食品／食材の情報を記憶するコンビニデータベースを設けたことを特徴とする請求項６乃至８のいずれかに記載の商品情報活用システム。
【請求項１０】
ＰＯＳ端末は、スーパーマーケットに設けられたスーパーＰＯＳ端末を含み、管理センタは、前記スーパーマーケットを統括するスーパー管理センタを含み、前記管理センタで取得したユーザの識別子と食品／食材の情報を記憶するスーパーデータベースを設けたことを特徴とする請求項６乃至８のいずれかに記載の商品情報活用システム。
【請求項１１】
コンビニエンスストアに設置され、食事指導の内容を参照するために、食生活支援サーバにアクセス可能なコンビニマルチメディア端末を設けたことを特徴とする請求項９記載の商品情報活用システム。
【請求項１２】
ユーザ利用のコンピュータ、携帯電話、コンビニマルチメディア端末は、ＰＯＳ端末で入力されなかった食品／食材の情報を入力するための装置であることを特徴とする請求項１１記載の商品情報活用システム。
【請求項１３】
食生活支援サーバは、食事指導の内容に、理想的な食事摂取状況のデータと比較して過不足の食品／食材の情報を含ませ、当該食事指導に従う意向かあるか否かを問い合わせるアンケートを含ませることを特徴とする請求項６乃至１２のいずれかに記載の商品情報活用システム。
【請求項１４】
食生活支援サーバは、食事指導の内容に従わないユーザについてアンケート結果を分析し、予め定められたパターンの指導内容で次回の指導を提供するサーバであることを特徴とする請求項１３記載の食生活支援システム。
【請求項１５】
食生活支援サーバは、食事指導内容において、ユーザにとって不足する食品／食材の情報を該当するコンビニエンスストア又は該当するスーパーマーケットに提供するサーバであることを特徴とする請求項１３又は１４記載の商品情報活用システム。
【請求項１６】
食生活支援サーバは、アンケート結果により食事指導に従うユーザの人数及び不足する食品／食材の情報を該当するコンビニエンスストア又は該当するスーパーマーケットに提供するサーバであることを特徴とする請求項１３乃至１５のいずれかに記載の商品情報活用システム。
【発明の詳細な説明】
【０００１】
【発明の属する技術分野】
本発明は、購入した商品の情報を活用するシステムに係り、特に、商品の購入情報から容易に家計簿を作成したり、食生活を支援することができる商品情報活用システムに関する。
【０００２】
【従来の技術】
スーパーマーケット（以下、単に「スーパー」という）やコンビニエンスストア（以下、単に「コンビニ」という）等の店舗で商品を購入した際に発生する購入情報は、店舗側では、ＰＯＳ情報として商品の在庫管理等に利用されているが、購入した消費者側では、通常、レシートを受け取って、レシートに記載された情報を家計簿に書き写す程度にしか利用されていなかった。
【０００３】
また、パッケージソフトの中には、食事メニューを入力すると、自動的にカロリー等を計算し、食事指導を行うものがある。
【０００４】
尚、インターネットショッピング等のネットワークを介して決済する方法で商品を購入した際に、消費者に購買データを履歴としてサーバに登録し、消費者が自宅のパーソナルコンピュータ等からサーバにアクセスして、家計簿出力依頼を行うと、サーバが当該消費者に対応付けて記憶されているデータを集計して、家計簿を画面に表示するもの（特許文献１参照）があった。
また、食事指導を行う従来の技術には、個人健康情報カードシステムが患者における栄養素の摂取指導量を情報カードに記録し、情報カードの栄養素の摂取指導量と実際の栄養摂取量とを比較し、その比較結果を栄養相談システムに表示するもの（特許文献２参照）があった。
【０００５】
【特許文献１】
特開２００２−９２３０９号公報
【特許文献２】
特開平７−２７１８５７号公報
【０００６】
【発明が解決しようとする課題】
しかしながら、上記従来の方法では消費者が購入した商品の情報を十分に活用できていないという問題点があった。
【０００７】
本発明は上記実情に鑑みて為されたものであり、消費者が購入した商品の情報を有効に活用して、家計簿を作成し、食生活を支援する商品情報活用システムを提供することを目的とする。
【０００８】
【課題を解決するための手段】
上記従来例の問題点を解決するための本発明は、商品情報活用システムにおいて、ユーザが購入した品物やサービスに関する情報を入力し、情報を外部記憶装置にレシート情報として出力するＰＯＳ端末と、ＰＯＳ端末から入力されたレシート情報と集計済みの家計簿データとを記憶する外部記憶装置と、外部記憶装置から読み出されたレシート情報と家計簿データについて、レシート情報を項目毎に分類し、家計簿データと合わせて集計して家計簿データを更新するレシート情報活用サーバとを備えたものであり、購入した商品の情報を有効に活用して、容易に家計簿を作成することができる。
【０００９】
また、本発明は、上記商品情報活用システムにおいて、外部記憶装置が、レシート情報活用サーバにアクセスするためのＵＲＬとブラウザプログラムとを記憶し、ネットワークに接続するコンピュータでブラウザプログラムが起動されると、ＵＲＬが示すレシート情報活用サーバにアクセスする外部記憶装置であるものであり、外部記憶装置をコンピュータに接続すると、外部記憶装置からブラウザプログラムがコンピュータに読み込まれて起動され、レシート情報活用サーバにアクセスすることができ、ユーザは特別な操作を行わなくてもレシート情報活用サーバに接続して家計簿作成のサービスを受けることができる。
【００１０】
本発明は、商品情報活用システムにおいて、入力されたユーザの識別子とレシート情報とを対応付けて出力するＰＯＳ端末と、ＰＯＳ端末から入力されたレシート情報とユーザの識別子とを対応付けて記憶しておき、ユーザ利用のコンピュータから識別子を指定してレシート情報の要求があると、当該識別子に対応するレシート情報を出力する店舗サーバと、ユーザの識別子に対応して、識別子に対応するレシート情報を集計した家計簿データを記憶し、店舗サーバからユーザＩＤとレシート情報とが入力されると、レシート情報に基づいてユーザＩＤに対応する家計簿データを更新するレシート情報活用サーバとを備えたものであり、外部記憶装置を用いなくてもユーザの識別子を入力すれば店舗サーバにレシート情報を蓄積し、レシート情報活用サーバで家計簿を作成することができる。
【００１１】
本発明は、商品情報活用システムにおいて、釣り銭で購入したポイントを蓄積する外部記憶装置と、ユーザによって、現金精算時に発生した釣り銭でポイントが購入された場合に、外部記憶装置にポイントを加算して蓄積するＰＯＳ端末とを備え、ポイントが、商品購入やサービス享受が可能なポイントであるものであり、ユーザはたくさんの小銭を持たなくて済み、蓄積されたポイントで商品やサービスを購入でき、利便性を向上させることができる。
【００１２】
また、本発明は、上記商品情報活用システムにおいて、外部記憶装置が、ポイントを購入する釣り銭の範囲を予め設定可能な外部記憶装置であり、ＰＯＳ端末が、外部記憶装置から釣り銭の範囲を読み取って、現金精算時に発生した釣り銭の中から、範囲に応じた金額でポイントを購入するＰＯＳ端末であるものであり、ユーザは、自分で設定した無理のない範囲でお釣りの一部をポイントとして蓄積することができ、知らず知らずの内にポイントを貯めることができる。
【００１３】
本発明は、商品情報活用システムにおいて、ユーザの識別子と当該ユーザが購入した食品／食材の情報を入力するＰＯＳ端末と、ＰＯＳ端末に入力されたユーザの識別子と食品／食材の情報を取得する管理センタと、理想的な食事摂取状況のデータを記憶するデータベースと、ユーザの識別子に対応する食品／食材の情報を管理センタから取得し、データベースに記憶された理想的な食事摂取状況のデータと比較して当該ユーザに対する食事指導を提供する食生活支援サーバとを有するものであり、ユーザが購入した食品／食材を基にしてユーザに食事指導を行うことができる。
【００１４】
本発明は、上記商品情報活用システムにおいて、ＰＯＳ端末は、コンビニエンスストア又はスーパーマーケットに設けられたコンビニＰＯＳ端末又はスーパーＰＯＳ端末を含み、管理センタは、コンビニエンスストア又はスーパーマーケットを統括するコンビニ管理センタ又はスーパー管理センタを含み、管理センタで取得したユーザの識別子と食品／食材の情報を記憶するコンビニデータベース又はスーパーデータベースを設けたものであり、コンビニエンスストア又はスーパーマーケットで購入した食品／食材を基にしてユーザに食事指導を行うことができる。
【００１５】
本発明は、上記商品情報活用システムにおいて、ユーザ利用のコンピュータ、携帯電話、コンビニマルチメディア端末を、ＰＯＳ端末で入力されなかった食品／食材の情報を入力するための装置としたものであり、食事内容をユーザが補足的に入力することで、食事指導の精度を向上させることができる。
【００１６】
本発明は、上記商品情報活用システムにおいて、食生活支援サーバが、食事指導の内容に、理想的な食事摂取状況のデータと比較して過不足の食品／食材の情報を含ませ、当該食事指導に従う意向かあるか否かを問い合わせるアンケートを含ませるものであり、ユーザへの食事指導を明確にすると共に、アンケートによって食事指導の成果を確認できる。
【００１７】
本発明は、上記商品情報活用システムにおいて、食生活支援サーバが、食事指導内容において、ユーザにとって不足する食品／食材の情報を該当するコンビニエンスストア又は該当するスーパーマーケットに提供するものであり、食品／食材提供側ではユーザが欲する食品等を品揃えできる。
【００１８】
【発明の実施の形態】
本発明の実施の形態について図面を参照しながら説明する。
本発明の実施の形態に係る商品情報活用システムは、ユーザが購入した商品の情報を店舗に設けられたＰＯＳ端末から入力して、ＰＯＳ端末に接続された外部記憶装置にレシート情報として記憶しておき、ユーザが自宅のＰＣに外部記憶装置を挿入して特定のサイトにアクセスすると、家計簿作成サーバが外部記憶装置から入力されたレシート情報を集計して家計簿を作成して表示するものであり、ユーザは、購入した商品の名称や金額等の転記又は入力を行うことなく家計簿を作成することができ、利便性を向上させることができるものである。
【００１９】
また、本発明の実施の形態に係る商品情報活用システムは、ユーザが購入した食品の情報をコンビニＰＯＳ端末又はスーパーＰＯＳ端末から入力し、それら情報をコンビニ管理センタ又はスーパー管理センタを介して食生活支援サーバが取得し、収集した情報から食事状況の診断を行い、診断結果を食事指導として該当するユーザに提供すると共に、コンビニ等にも指導内容に関する食品の情報を提供するものであり、ユーザは購入した食品の情報を入力することなく、食事指導を受けることができ、コンビニは食事指導に従ってユーザが欲する食品を提供できるものである。
【００２０】
本発明の第１の実施の形態に係る商品情報活用システム（第１のシステム）について図１を参照しながら説明する。図１は、本発明の第１の実施の形態に係る商品情報活用システムの概略構成図である。
第１の商品情報活用システムは、図１に示すように、レシート情報活用サーバ１と、店舗等に設けられているＰＯＳ端末２と、複数のＰＯＳ端末２に接続して在庫管理等を行う店舗サーバ２０と、ユーザの自宅等に設けられているユーザＰＣ４と、外部記憶装置としてのＵＳＢキー５とから構成されている。
【００２１】
更に、レシート情報活用サーバ１には、レシート作成手段１１と、家計簿作成手段１２と、食生活支援手段１３とが設けられている。
そして、レシート情報活用サーバ１には、インターネットを介してユーザＰＣ４が接続されており、店舗サーバ２０には、ＰＯＳ端末２が接続され、インターネットを介してユーザＰＣ４が接続されている。
【００２２】
第１のシステムの特徴部分について具体的に説明する。
ＰＯＳ端末２は、スーパーやコンビニ等の店舗に設けられ一般的なレジ機能を備えたＰＯＳ端末であり、ＵＳＢキーを挿入するＵＳＢポートを備えている。そして、会計時に、入力された品名、数量、金額に基づいて合計金額を算出してレシート情報を作成し、挿入されているＵＳＢキー５に記憶するものである。
【００２３】
ＵＳＢキー５は、内部にＩＣメモリを搭載しており、ＰＯＳ端末２から入力されたレシート情報と、分類集計済みの家計簿データと、レシート情報活用サーバ１が提供するサイトのＵＲＬと、当該ＵＲＬにアクセスするブラウザプログラムとを記憶する外部記憶装置であり、ＰＯＳ端末２やユーザＰＣ４に設けられたＵＳＢポートに接続されて、ＰＯＳ端末２やユーザＰＣとのデータ交換を行うものである。
【００２４】
そして、第１のシステムにおいては、ユーザが商品を購入した際に、ＵＳＢキー５がＰＯＳ端末２のＵＳＢポートに差し込まれると、店舗名、日時、購入商品名、商品金額、合計金額等を含むレシート情報がＵＳＢキー５内部のメモリに書き込まれるようになっている。
【００２５】
また、ＵＳＢキー５は、ユーザＰＣ４のＵＳＢポートに挿入された場合には、内部のメモリに蓄積されている家計簿データと、レシート情報と、レシート情報活用サーバ１に自動接続するブラウザプログラム（ブラウザ）をユーザＰＣ４に出力するものである。尚、ブラウザは必ずしもＵＳＢキー５に記憶していなくても構わず、その場合にはユーザＰＣ４が備えている通常のブラウザでレシート情報活用サーバ１のサイトにアクセスすればよい。
【００２６】
レシート情報活用サーバ１は、ユーザから送信されるレシート情報に基づいて特定のＷｅｂサイト上でユーザにとって有益な情報を作成し、提供するものである。第１のシステムでは、レシート情報活用サーバ１は、レシート作成、家計簿作成、食生活支援のサービスを行うようにしている。
【００２７】
レシート情報活用サーバ１のレシート作成手段１１は、ユーザＰＣ４からインターネットを介して入力されたレシート情報のデータに基づいてレシートを作成してユーザＰＣ４に出力するものである。
【００２８】
また、レシート情報活用サーバ１の家計簿作成手段１２は、ユーザＰＣ４から入力されたレシート情報を分類して、ユーザＰＣ４から入力された家計簿データと合わせて集計し、家計簿を作成してユーザＰＣ４に出力するものである。
【００２９】
食生活支援手段１３は、ユーザＰＣ４から入力されたレシート情報に基づいて、食品に分類されたデータを集計分析して、理想的な食生活との比較を行い、結果を食生活アドバイスとしてユーザＰＣ４に出力するものである。レシート情報活用サーバの動作については後で詳細に説明する。
【００３０】
ユーザＰＣ４は、ＵＳＢキー５が挿入された場合に、ＵＳＢキー５から入力されるブラウザを取得して、これを起動してレシート情報活用サーバ１に接続し、ＵＳＢキー５から入力された家計簿データ及びレシート情報を、インターネットを介してレシート情報活用サーバ１に出力して、レシート情報活用サーバ１からインターネットを介して入力された家計簿やレシート及び食生活アドバイスを表示するものである。尚、一旦ＵＳＢキー５から読み込まれた家計簿データ及びレシート情報やプログラムは、ユーザＰＣ４の内部に記憶しておき、新しいレシート情報のみをＵＳＢキー５から読み込むようにしてもよい。
【００３１】
また、レシート情報や家計簿データはきわめて個人的な情報であるため、ＵＳＢキー５が盗難にあったり落としたりした場合でも、むやみに情報をみられないようにするために、予めユーザが設定した特定の暗証番号やパスワード等の暗号を入力しないと、家計簿データやレシート情報をユーザＰＣ４に取り込めないようにしてもよい。
【００３２】
また、ユーザＰＣ４のキーボード等から、収入や、ＵＳＢキーに記憶されない支出、例えば自動引き落としになる光熱費や交通費等をＵＳＢキー５の家計簿データに付け加えて入力して、レシート情報と合わせてレシート情報活用サーバ１に送信することも可能であり、家計簿作成手段１２は、ユーザＰＣ４から入力されたデータもＵＳＢキーから入力されたデータと同様に分類して集計し、家計簿に反映させることが可能となっている。
【００３３】
次に、図１に示した第１のシステムにおける動作について説明する。
ユーザが店舗で買い物をした場合、店員がＰＯＳ端末２を操作して合計金額等を算出する際にＵＳＢキー５をＰＯＳ端末２に挿入しておく。通常の会計時と同様に、ＰＯＳ端末２に商品名、金額、数量の情報が入力されると、合計金額が算出され、更に店舗名、購入日時等の情報が付加されてレシート情報が作成され、レシート情報がＵＳＢキー５に入力され、記憶される。このため、店舗では、紙のレシートを発行する必要はない。
【００３４】
そして、ユーザが、自宅等のユーザＰＣ４にＵＳＢキー５を挿入すると、ＵＳＢキー５から、既に分類集計済みの家計簿データと、新たにＰＯＳ端末２から入力された未分類のレシート情報と、レシート情報活用サーバ１にアクセスするＵＲＬとブラウザとがユーザＰＣ４に出力され、ユーザＰＣ４が、当該ブラウザを起動してインターネットを介して、当該ＵＲＬで示されレシート作成手段１１が提供する特定のサイトにアクセスする。
尚、ＵＳＢキー５がブラウザを備えていない場合には、ユーザＰＣ４に設けられているブラウザソフトを用いてレシート情報活用サーバ１にアクセスしてもよい。
【００３５】
ユーザＰＣ４がレシート情報活用サーバ１と接続されると、ユーザＰＣ４からＵＳＢキー５に蓄積されている家計簿データ及び未分類のレシート情報がレシート情報活用サーバ１に出力される。
そして、ユーザＰＣ４の表示画面上に「レシート」「家計簿」「食生活」といった項目が表示され、ユーザの選択操作に従って、レシート情報活用サーバ１がレシート作成や家計簿作成や食生活支援のサービスを提供するようになっている。
【００３６】
「レシート」が選択された場合、レシート情報活用サーバ１のレシート作成手段が、未分類のレシート情報に含まれる商品名、金額、合計金額、数量、店舗名、購入日時等のデータに基づいて、一般的なフォーマットのレシートを作成してユーザＰＣ４にレシートを表示する。これにより、ユーザは、その日の購入品や金額を確認することができるものである。
【００３７】
尚、レシート作成手段１１のプログラムをＵＳＢキー５に記憶しておくことも可能であり、この場合には、ＵＳＢキー５がユーザＰＣ４に挿入された場合に、レシート作成プログラムをユーザＰＣ４に出力して起動し、未集計のレシート情報に基づいてレシートをユーザＰＣ４の表示部に表示するようになっている。
【００３８】
また、「家計簿」が選択された場合、レシート情報活用サーバ１の家計簿作成手段が、未分類のレシート情報を家計簿の項目毎に分類して集計し、既に分類蓄積されている家計簿データに加えて、各項目毎の金額や、日、週、月、年単位の集計を行って家計簿データを更新する。そして、集計した家計簿データをユーザＰＣ４に出力して、ユーザＰＣ４がＵＳＢキー５に格納する。これにより、最新の家計簿データがＵＳＢキー５に記憶されるようになっている。
【００３９】
尚、ＵＳＢキー５のレシート情報は、ユーザＰＣ４からの操作により随時消去可能であるが、予めブラウザ中に、一定期間経過した場合や、レシート情報を家計簿データに反映させた場合に当該レシート情報を自動消去する機能を組み込んでおいてもよい。
【００４０】
また、「食生活」が選択された場合には、レシート情報活用サーバ１の食生活支援手段制御部１３が、予め記憶されている理想的な栄養摂取のデータと比較して比較結果に基づいてアドバイスを作成してユーザＰＣ４に出力する。アドバイスは、予め食生活タイプに応じたアドバイスメッセージを何種類か用意しておき、ユーザのレシート情報の中から食品に関するデータを抽出して分析し、ユーザの食生活タイプを判断して、タイプに応じたアドバイスメッセージをユーザＰＣ４に出力するものである。アドバイスの内容としては、ユーザの食事における栄養の偏りや摂取カロリー等の問題点を指摘し、どのような食材をどのくらいとればよいか、ユーザを適切な食生活に導く内容となっている。アドアイスの中で、具体的なメニュー例やレシピを記載することも可能である。
【００４１】
これにより、ユーザは簡単に自分の食生活の傾向を知ることができ、食品の購入時にアドバイスを参考にして食品を選ぶようにすれば、健康増進に役立てることができるものである。特に、栄養に気を配った食事をとることが比較的困難な単身赴任者や一人暮らしの学生にとっては大きな効果が期待できるものである。
【００４２】
尚、図１のシステムでは、レシート情報や家計簿データはきわめて個人的な情報であるため、全て外部記憶装置としてのＵＳＢキー５やユーザＰＣ４に記憶されているものとしているが、レシート情報活用サーバ１にデータベースを備えて、ユーザＰＣから入力された家計簿データやレシート情報を個人識別ＩＤ（ユーザＩＤ）と対応付けて蓄積するようにしてもよい。
【００４３】
家計簿データやレシート情報をレシート情報活用サーバ１に蓄積する場合、ユーザがアクセスする際には、ユーザＩＤ及びパスワードの入力を行って認証されたもののみをアクセス可能として、情報を厳重に管理する。
【００４４】
第１の実施の形態に係る商品情報活用システムによれば、ＰＯＳ端末２から入力された購入データを集計して購入日時や店舗名等を加えたレシート情報を、ＰＯＳ端末２のＵＳＢポートを介して接続されたＵＳＢキー５に記憶しておき、ＵＳＢキー５がユーザＰＣ４に挿入されると、ＵＳＢキー５が、蓄積されている家計簿データと新たなレシート情報とをユーザＰＣ４に出力し、ユーザＰＣ４がＵＳＢキーに記憶されているブラウザを起動してレシート情報活用サーバ１にアクセスし、家計簿データとレシート情報とを出力すると、レシート情報活用サーバ１がレシート情報を分類して家計簿データと合わせて集計し、家計簿データを更新してユーザＰＣ４に表示し、ユーザＰＣ４が家計簿データをＵＳＢキー５に格納するようにしているので、ユーザは紙のレシートを受け取って家計簿に書き写して自分で集計する、といった面倒な作業をすることなく家計簿を作成できて便利であり、店舗では紙のレシートを発行しなくて済むためコスト低減と資源節約を図ることができる効果がある。
【００４５】
また、第１のシステムによれば、家計簿データ及びレシート情報をＵＳＢキー５に記憶するようにしているので、簡単に持ち運びができて、どこのコンピュータからでも容易にレシート情報活用サーバ１にアクセスすることができ、容易に家計簿を表示することができる効果がある。
【００４６】
更に、ＵＳＢキー５をユーザＰＣ４に挿入しても、予め登録された暗号を入力しないとユーザＰＣ４に家計簿データやレシート情報を取り込めないようにすれば、セキュリティを向上させることができる効果がある。
【００４７】
また、第１のシステムによれば、レシート情報活用サーバ１が、ユーザＰＣ４から入力されたレシート情報に基づいてレシートを表示するようにしているので、ユーザは紙のレシートがなくても、どこで何をいくら購入したか、という情報を簡単に見ることができる効果がある。
【００４８】
また、第１のシステムによれば、レシート情報活用サーバ１が、家計簿データやレシート情報に基づいてユーザの食品購買状況を分析し、記憶されている理想的な食生活の情報と比較して、個々のユーザに合わせた食生活アドバイスを表示するようにしているので、ユーザはアドバイスを参考にして食生活を見直し、より理想に近づけるよう意識して食品を購入すれば、健康増進を図ることができる効果がある。
【００４９】
尚、第１のシステムでは、外部記憶装置をＵＳＢキーとしたが、ＩＣカードであってもよく、その場合にはＰＯＳ端末２及びユーザＰＣ４にＩＣカードリーダを備えるものとする。
【００５０】
次に、本発明の第２の実施の形態に係る商品情報活用システムについて図２を用いて説明する。図２は、本発明の第２の実施の形態に係る商品情報活用システム（第２のシステム）の構成を示す構成ブロック図である。尚、第１のシステムと同様の構成をとる部分については同一の符号を付して説明する。
図２に示すように、第２のシステムは、図２に示した第１のシステムとほぼ同様の構成となっているが、ユーザがレシート情報を取得する際の方法が第１のシステムとは一部異なっており、ＵＳＢキー等の外部記憶装置の他に、メンバーカード６を用いてレシート情報を取得できるようにしている。
【００５１】
第２のシステムの特徴部分について説明する。
店舗サーバ２０′は、ＰＯＳ端末２′からユーザのＩＤに対応付けたレシート情報を入力して、蓄積しており、ユーザＰＣ４からインターネットを介して、ユーザＩＤを指定したレシート情報取得の要求があった場合に、認証されれば、ユーザＩＤに対応するレシート情報をユーザＰＣ４に出力するものである。店舗サーバ２０′では、予め登録されたユーザについてユーザＩＤとパスワードとを記憶しており、レシート情報の要求時にパスワードで認証するようにしている。
【００５２】
メンバーカード６は、予め店舗サーバ２０′に登録されたユーザに配布されるものであって、ユーザＩＤを記憶している磁気又はＩＣカードである。会計の際にＰＯＳ端末２′にメンバーカード６を通して、ＰＯＳ端末２′にユーザＩＤを入力すると、ＰＯＳ端末２′が、発生したレシート情報にユーザＩＤを付して店舗サーバ２０′に出力するものである。
尚、メンバーカード６は、各店舗サーバ２０′において、レシート情報との対応付けが可能であればよく、本発明の商品情報活用システムが発行するカードでもよいし、店舗サーバ２０′が発行するものであっても構わない。
【００５３】
第２のシステムの動作について説明する。
第２のシステムにおけるＵＳＢキーを用いた動作は、第１のシステムで説明したものと同様であるためここでは省略し、メンバーカードを用いたレシート情報の取得方法について説明する。
【００５４】
ＰＯＳ端末２′におけるレシート作成時に、ＰＯＳ端末２′のカードリーダ部（図示せず）を介して、メンバーカード６からユーザＩＤが読み込まれると、ＰＯＳ端末２′は、レシート情報にユーザＩＤを付して店舗サーバ２０′に出力する。
【００５５】
店舗サーバ２０では、ユーザＩＤ毎にレシート情報を記憶しておく。そして、ユーザＰＣ４からアクセスがあり、ユーザＩＤが入力され、レシート情報が要求され、パスワード等で認証された場合に、店舗サーバ２０は、当該ユーザＩＤに対応して記憶されているレシート情報を要求元のユーザＰＣ４に出力するものである。そして、店舗サーバ２０からユーザＰＣ４に送信されたレシート情報は、ＵＳＢキー５から入力された場合と同様に用いられるようになっている。
【００５６】
メンバーカードを用いると、ＵＳＢキーを使えないユーザであってもレシート情報を取得して、レシート情報活用サーバ１にアクセスして容易に家計簿を作成することができ、利便性を向上させることができるものである。
【００５７】
更に、第２のシステムにおいて、ＵＳＢキーだけでなくレシート情報活用サーバ１にもユーザＩＤに対応して家計簿情報を記憶することも考えられる。この場合、ユーザがユーザＰＣ４から店舗サーバ２０′アクセスしてレシート情報の取得を要求すると、当該レシート情報がレシート情報活用サーバ１に送信され、レシート情報活用サーバ１においてユーザＩＤに対応して既に記憶している家計簿情報と共に集計され、ユーザＩＤに対応して登録されているユーザＰＣ４に出力する。
このようにすれば、ＵＳＢキーを用いないので、各ＰＯＳ端末２′にＵＳＢポートを備える必要はない。
【００５８】
本発明の第２の実施の形態に係る商品情報活用システム（第２のシステム）によれば、ＰＯＳ端末２′が、レシート情報作成時にメンバーカード６が挿入された場合には、作成したレシート情報にメンバーカード６から読み取ったユーザＩＤを付して店舗サーバ２０′に出力し、店舗サーバ２０′がユーザＩＤとレシート情報とを対応付けて記憶しておき、ユーザＰＣ４からユーザＩＤを付したれしと情報の要求があって、暗証番号等で認証された場合には、当該ユーザＩＤに対応するレシート情報をユーザＰＣ４に出力するようにしているので、ＵＳＢキーを持たないユーザであってもレシート情報を取得することができ、家計簿作成や食生活支援のサービスを受けることができる効果がある。
【００５９】
次に、本発明の第３の実施の形態に係る商品情報活用システム（第３のシステム）について説明する。
第３のシステムは、商品情報の中でも特に食品や食材の情報を利用して、食生活支援の機能の充実を図ったものである。まず、第３のシステムの構成について図３を用いて説明する。
第３のシステムは、図３に示すように、食生活支援サーバ１０と、ＤＢ１２と、操作端末１３と、ユーザＰＣ４と、携帯電話４２と、ＩＣカード４１と、コンビニ管理センタ３１と、コンビニＤＢ３２と、コンビニＰＯＳ端末３３と、コンビニマルチメディア端末３４と、スーパー管理センタ３１と、スーパーＤＢ２２と、スーパーＰＯＳ端末２３とから構成されている。
【００６０】
尚、食生活支援サーバ１には、インターネットを介してユーザＰＣ４、携帯電話５、コンビニ管理センタ１１、スーパー管理センタ２１が接続され、コンビニ管理センタ１１には、コンビニＤＢ１２、コンビニＰＯＳ端末１３、コンビニマルチメディア端末１４が接続され、スーパー管理センタ２１には、スーパーＤＢ２２、スーパーＰＯＳ端末２３が接続されている。
【００６１】
まず、第３のシステムにおいて、食事指導を受けることを希望するユーザは、事前にユーザ登録を行う。すると、登録されたユーザには、ＩＣカード４３が付与され、当該ＩＣカード４３をコンビニＰＯＳ端末３３又はスーパーＰＯＳ端末２３で読み取ることで、ユーザが購入した食品の情報（食材の情報）がコンビニ管理センタ３１又はスーパー管理センタ２１を介してコンビニＤＢ３２又はスーパーＤＢ２２に蓄積され、それら食品の情報を食生活支援システム１０が取得し、食事状況の診断を行うことになる。
【００６２】
次に、第３のシステムの各部を具体的に説明する。
食生活支援サーバ１０は、コンビニ又はスーパーで取得されたユーザ個人の食品／食材に関する情報を管理し、食事指導のコンピュータプログラムの処理によってユーザ各自の食事状況を診断し、食事指導の情報をユーザに提供する。
また、食生活支援サーバ１０は、上記診断した内容に従ってユーザに不足する食品／食材に関する情報をコンビニ及びスーパーに提供し、ユーザに不足な食品／食材をコンビニ等から供給し易くしている。
【００６３】
ＤＢ１２は、食生活支援サーバ１０のデータベースであり、ユーザの購入した食品／食材の情報を記憶し、また診断された食事指導内容等を記憶する。
また、ＤＢ１２は、食品／食材に関する食品データと食事指導の基準となる理想的な標準データとを食品データベースを備えており、食事状況を診断する際に利用されるものである。
操作端末１３は、食生活支援サーバ１０での設定及びメンテナンスを行うためのコンピュータであり、食事状況の診断プログラム等のインストールを行う。
【００６４】
ユーザＰＣ４は、事前に登録したユーザ所有のパーソナルコンピュータ（ＰＣ）であり、食事指導を受けたり、また、コンビニ及びスーパー以外でとった食事内容を補足的に入力するものである。
尚、食事指導を受けたり、補足入力するために、ユーザＰＣ４は、食生活支援サーバ１０にアクセスするが、この場合、本人を認証するためにユーザＩＤ及びパスワードの入力を必要とする。
【００６５】
携帯電話４２は、ユーザＰＣ４と同様に、食事指導を受けたり、補足入力を行うための装置で、基地局を介してインターネット接続可能な携帯電話である。
ＩＣカード４３は、ユーザを特定するための情報を記憶している。このＩＣカード４３は、食生活支援サーバ１０の運営主体が登録したユーザに配布してもよいし、コンビニ又はスーパーが独自に発行したＩＣカードであってもよい。
【００６６】
コンビニ管理センタ３１は、複数のコンビニ店のコンビニＰＯＳ端末３３及びコンビニマルチメディア端末３４が接続するコンピュータで、端末から取得したデータはコンビニＤＢ３２に記憶される。
【００６７】
特に、コンビニ管理センタ３１は、コンビニＰＯＳ端末３３からユーザ購入の食品／食材に関する情報をユーザと関連付けて入力し、コンビニＤＢ３２に記憶する。そして、コンビニ管理センタ３１は、当該ユーザの食品／食材の情報を自発的又は食生活支援サーバ１から要求に応じて食生活支援サーバ１０に送信する。
【００６８】
また、コンビニ管理センタ３１は、コンビニマルチメディア端末３４からユーザＩＤとパスワードの入力があると、食生活支援サーバ１０に接続し、コンビニマルチメディア端末３４からユーザが食事指導を受けたり、補足入力を行えるようにしている。
【００６９】
コンビニＤＢ３２は、コンビニＰＯＳ端末３３から入力されたユーザ情報と食品／食材の情報を購入日時と共に記憶するものである。ここで、ユーザ情報は、ＩＣカード４１に記憶されているユーザＩＤである。
【００７０】
コンビニＰＯＳ端末３３は、ユーザ購入の食品／食材をバーコードにて読み込み、更にその端末に附属するＩＣカードリーダでＩＣカード４１のユーザ情報を読み込み、ユーザ情報と食品／食材の情報をコンビニ管理センタ３１に送信する。
【００７１】
コンビニマルチメディア端末３４は、コンビニ店に設置されているチケット購入等が可能な端末であり、ユーザ登録、食事指導の表示、食事内容の補足入力等が可能であり、食事指導の内容を印刷可能となっている。
ユーザは、コンビニマルチメディア端末３４からユーザＩＤとパスワードを入力すると、食生活支援サーバ１０にアクセス可能となり、食事指導の表示等が可能となる。
【００７２】
スーパー管理センタ２１は、複数のスーパー店のスーパーＰＯＳ端末２３が接続するコンピュータで、端末から取得したデータはスーパーＤＢ２２に記憶される。
【００７３】
特に、スーパー管理センタ２１は、スーパーＰＯＳ端末２３からユーザ購入の食品／食材に関する情報をユーザと関連付けて入力し、スーパーＤＢ２２に記憶する。そして、スーパー管理センタ２１は、当該ユーザの食品／食材の情報を自発的又は食生活支援サーバ１０から要求に応じて食生活支援サーバ１０に送信する。
【００７４】
スーパーＤＢ２２は、スーパーＰＯＳ端末２３から入力されたユーザ情報と食品／食材の情報を購入日時と共に記憶するものである。ここで、ユーザ情報は、ＩＣカード４１に記憶されているユーザＩＤである。
【００７５】
スーパーＰＯＳ端末２３は、ユーザ購入の食品／食材をバーコードにて読み込み、更にその端末に附属するＩＣカードリーダでＩＣカード４１のユーザ情報を読み込み、ユーザ情報と食品／食材の情報をスーパー管理センタ２１に送信する。
【００７６】
次に、第３のシステムの動作について説明する。
第３の商品情報活用システムの基本的動作は、第１にユーザ登録処理、第２にユーザの食品／食材データ取得処理、第３に食事状況診断処理、第４に診断結果提供処理、第５に食品提供側への情報提供処理となる。
【００７７】
第１のユーザ登録処理は、ユーザＰＣ４、携帯電話４２又はコンビニマルチメディア端末３４を用いて、食事指導を希望するユーザが必要事項を入力して登録を行うものであり、ユーザ登録によってユーザＩＤとパスワードが付与される。このユーザ登録で、ユーザの関連情報がＤＢ２に登録される。
【００７８】
また、ユーザ登録によってユーザＩＤを記憶するＩＣカード４１を配布してもよい。この場合、本システムを利用する毎にポイントをＩＣカードん４１に付与し、そのポイントを特定の商品又はサービスと交換できるようにしてもよい。
【００７９】
第２のユーザの食品／食材データ取得処理は、ユーザがコンビニＰＯＳ端末３３又はスーパーＰＯＳ端末２３でＩＣカード４１を差し出して食品／食材を購入すると、ＩＣカード４１のユーザＩＤと購入食品／食材の情報がコンビニ管理センタ３１又はスーパー管理センタ２１を介してコンビニＤＢ３２又はスーパーＤＢ２２に記憶される。
【００８０】
コンビニ管理センタ３１又はスーパー管理センタ２１は、コンビニＤＢ３２又はスーパーＤＢ２２に記憶するユーザＩＤと食品／食材の情報を自発的に食生活支援サーバ１０に送信するか、食生活支援サーバ１０からのユーザＩＤを指定しての送信要求に応じてユーザＩＤと食品／食材の情報を食生活支援サーバ１０に送信する。
【００８１】
上記自発的送信は、ユーザが食品等を購入する度にデータ送信を行う場合に適しており、食生活支援サーバ１０からの要求による送信は、ユーザが食事状況の診断内容を参照する度にデータ送信を行う場合に適している。
つまり、前者はデータを予めＤＢ２に蓄積しておくもので、後者は診断結果を出力する際にデータを取得するものとなっている。
【００８２】
また、ユーザは、ＩＣカード４１を利用して食品／食材の情報を入力できない場合には、ユーザＰＣ４、携帯電話４２又はコンビニマルチメディア端末３４を用いて食事内容を補足入力し、食事状況の診断の精度を向上させることが可能である。
【００８３】
第３の食事状況診断処理は、コンビニ管理センタ３１及びスーパー管理センタ２１から取得したユーザの食品／食材の情報、更にユーザＰＣ４、携帯電話４２又はコンビニマルチメディア端末３４から補足入力された食事内容から、当該ユーザの総合的な食事状況を把握して、食事の偏り等を求め、不足分の情報及び補充すべき食品／食材の情報を取得する。
【００８４】
上記診断処理を実現するためには、ＤＢ２にはコンビニ及びスーパーが管理する食品／食材の情報に対して同様の情報を備えており、これら情報はコード化されているため、ＤＢ２には、当該コードと食品名とが対応付けられる食品データベースを備えている。更に、当該食品データベースには、食品に対する分量、カロリー、含まれる栄養素等が記憶されている。
【００８５】
また、食事状況診断処理は、ユーザの食品／食材の情報と食品データベースの情報を基に食事状況を診断する食事状況診断プログラムを備えている。この食事状況診断プログラムの動作について図４を参照しながら説明する。図４は、本発明の第３の実施の形態に係る食事状況診断プログラムの動作を示すフローチャートである。
図４に示すように、食事状況診断プログラムは、第２の処理として上述したユーザの食品／食材データ取得処理によって取得したデータを読み出し（Ｓ１）、各食品／食材についてカロリー、栄養素等の情報を取得する（Ｓ２）。
ここで、取得したデータの読み出しは、日単位、週単位、月単位とする。
【００８６】
次に、取得した食品／食材のカロリー、栄養素等から日単位、週単位又は月単位での集計を行い（Ｓ３）、ユーザの年齢、性別、身長、体重等によって定められた理想的な食事摂取データと比較し（Ｓ４）、比較結果から過摂取の食品／食材又は不足する食品／食材についてのレポート（診断結果）を作成する（Ｓ５）。
このレポートは、適正な食事を摂取するための食事指導であり、必要であればサプリメントの情報も含める。
【００８７】
第４の診断結果提供処理は、ユーザがユーザＰＣ４、携帯電話４２又はコンビニマルチメディア端末３４から診断結果を入手するために、ユーザＩＤとパスワードを入力してアクセスした場合に、当該ユーザの診断結果を提供する。
また、ユーザからのアクセスがなくても、ユーザに電子メールで診断結果を送信するようにしてもよい。
【００８８】
第５の食品提供側への情報提供処理は、ユーザが食品／食材を購入したコンビニ又はスーパーに対してユーザに摂取することを薦めた食品／食材の情報（推奨食品情報）を提供する。
この推奨食品情報に基づいて、コンビニ又はスーパーは健康志向のユーザが必要とする食品／食材を知ることができ、それら食品等が提供可能となる。また、ユーザとしては、食事指導に従った食品／食材等を入手可能となり、健康管理を推進できる。
【００８９】
尚、第４の診断結果提供処理で、ユーザに対して食生活支援サーバ１０が食事指導に従った食品／食材の購入を心掛けるか否かのアンケートを実施し、当該アンケートの返信にて食事指導に従った食品等の購入を行うユーザ数を把握し、該当コンビニ等に必要とする食品／食材の種類及び数量を知らせることも可能である。これにより、コンビニ等は、購入される可能性の高い食品等を準備でき、無駄な仕入れを少なくできる効果がある。
【００９０】
また、食生活支援サーバ１０は、上記アンケートによって、食事指導に従わないユーザの意見を収集して分析を行う。この分析によって食事指導の内容を工夫することになる。
【００９１】
更に、食生活支援サーバ１０は、上記アンケートの結果によって次回の食事指導内容を変更してユーザに提供することも考えられる。
具体的には、第１回目の食事指導では、多く摂取した食品等又は充分摂取されていない食品等を指摘し、バランスのとれた食事を心掛けるようアドバイスするものであるが、アンケートによって食事指導に従わないユーザに対して、その理由に応じて２回目の指導内容を変更する。例えば、十分な食事時間がない場合には、栄養素を補うためのサプリメントの情報を提供するし、嗜好によってある食品を多く摂取するような場合には、カロリーオーバーを解消する運動についての情報を提供するものである。
【００９２】
つまり、アンケート結果に対応して２回目の指導内容のパターンをＤＢ１２に予め記憶しておき、そのパターンに従ってユーザに適合する内容で食事指導を食生活支援サーバ１がユーザに提供するものである。
【００９３】
本発明の第３の実施の形態に係る商品情報活用システムによれば、コンビニ及びスーパーでユーザが購入した食品／食材の情報をコンビニ管理センタ３１又はスーパー管理センタ２１を介して食生活支援サーバ１０が取得し、その情報を基に食事状況の診断を行い、診断結果（食事指導）をユーザに提供するようにしているので、ユーザは特別に食事メニューを入力することなく、自己の食生活管理を行うことができる効果がある。
【００９４】
尚、食事状況の診断の精度を向上させるためには、上記コンビニ又はスーパー以外で食品／食材を購入した場合又は外食した場合には、ユーザＰＣ４、携帯電話４２等で食事メニューを補足入力できるようにしている。
【００９５】
また、第３のシステムによれば、食生活支援サーバ１０は、ユーザへの食事指導に基づいた適正な食品／食材の情報をコンビニ又はスーパーに提供するようにしているので、コンビニ及びスーパーはユーザが食事指導に従って欲する食品／食材をタイムリーに提供できる効果がある。
【００９６】
更に、第３のシステムによれば、ユーザへの食事指導を提供する際に、アンケートを実施し、その食事指導に従うか否かを集計し、従うユーザの人数及びその食事指導内容の食品／食材の情報をコンビニ及びスーパーに提供するようにしているので、コンビニ等は食事指導に従うユーザにマッチングする食品等を揃えることができ、無駄な仕入れを少なくできる効果がある。
【００９７】
また、第３のシステムによれば、アンケート結果によって食事指導に従わないユーザに対して、その理由から予め用意された指導内容の中でマッチングする指導内容を選択して提供するようにしているので、ユーザによって適する指導内容とすることができる効果がある。
【００９８】
次に、本発明の第４の実施の形態に係る商品情報活用システム（第４のシステム）について説明する。
第４のシステムは、コンビニやスーパー等の店舗で現金で商品を購入した際に発生するお釣りで、システム内で使えるポイントを購入し、そのポイントを用いて商品購入やサービスの提供を受けることができるものであり、釣り銭の小銭を持つのが煩わしいという問題を解消することができるものである。
【００９９】
第４のシステムは、上述した第１〜第３のシステムにお釣りによるポイント購入の処理を行う機能を付加することで実現可能であり、ここでは図示を省略する。
具体的には、ポイントを貯めておくＵＳＢキーやメンバーカード等の外部記憶装置をユーザが携帯し、第４のシステムに加盟している店舗のＰＯＳ端末が、ポイントを読み取って表示したり、釣り銭が発生した場合にポイント購入及び蓄積の処理を行う機能を備えている。また、釣り銭で購入したポイントのデータは、第１又は第２のシステムで説明したレシート情報の中で保持するようにしてもよく、蓄積されたポイントは、加盟店のみで利用されるものである。
【０１００】
そして、ユーザが店舗において現金で買い物をしてお釣りがあった場合に、そのお釣りでポイントを購入し、ポイントをＵＳＢキーに記憶する。第４のシステムの特徴として、予めユーザ毎に、ポイントを購入する釣り銭の範囲を設定してＵＳＢキーに記憶しておき、ＰＯＳ端末で会計時に設定された釣り銭の範囲を読み取って、それに応じてポイントを「販売」して、ＵＳＢキーから読み取った前回までのポイントに加算してポイントのデータを更新すると共に、現金で払い戻す金額（見かけのお釣り）を算出するようになっている。
【０１０１】
釣り銭の範囲としては、１円玉のみ、５円玉以下、１０円玉以下、５０円玉以下、１００円以下、５００円玉以下、といった具合にどの程度の小銭までポイント購入の対象とするかを設定しておく。例えば、「１円玉のみ」に設定している場合、３５８円のお釣りであれば８円分のポイントを購入し、現金で３５０円戻す、ということになる。お釣りが同じ金額であっても「１００円玉以下」に設定してあれば、３５８円全てがポイント購入に充てられ、現金の払い戻しはない。
【０１０２】
このように、釣り銭でポイントを購入してＵＳＢキーに蓄積しておくと、ユーザは小銭が増えて煩わしい思いをすることなく、無理せずに知らない間にポイントがたまって、商品の購入やサービスを受けることができ、ユーザにとって便利である。
【０１０３】
尚、ポイントのデータをレシート情報の中に含む場合には、ＵＳＢキーをユーザＰＣに挿入すると、他のレシート情報と同様にポイントの情報がユーザＰＣに出力され、ＵＳＢキーに記憶されているレシート作成のプログラムによって現在のポイント残高を表示させたり、レシート情報活用サーバ１がレシート情報と共にポイントを表示させることもできるものである。また、第２のシステムのように、ポイントのデータをレシート情報の一部として店舗サーバに記憶することも可能である。
【０１０４】
本発明の第４の実施の形態に係る商品情報活用システムによれば、現金で買い物をした場合に発生するお釣りで、システム内で利用できるポイントを購入し、ＵＳＢキー等の外部記憶装置にポイントを蓄積して、たまったポイントで商品購入やサービスを受けることができ、ユーザは、小銭が増えて煩わしい思いをすることがなく、また、蓄積されたポイントで商品やサービスを購入でき、便利であるという効果がある。
【０１０５】
また、第４のシステムによれば、ポイントを購入するお釣りの範囲をユーザが任意に設定可能としているので、ユーザは、無理することなく知らない内にポイントを貯めることができる効果がある。
【０１０６】
【発明の効果】
本発明によれば、ユーザが購入した品物やサービスに関する情報を入力し、情報を外部記憶装置にレシート情報として出力するＰＯＳ端末と、ＰＯＳ端末から入力されたレシート情報と集計済みの家計簿データとを記憶する外部記憶装置と、外部記憶装置から読み出されたレシート情報と家計簿データについて、レシート情報を項目毎に分類し、家計簿データと合わせて集計して家計簿データを更新するレシート情報活用サーバとを備えた商品情報活用システムとしているので、購入した商品の情報を有効に活用して、容易に家計簿を作成することができる効果がある。
【０１０７】
また、本発明は、外部記憶装置が、レシート情報活用サーバにアクセスするためのＵＲＬとブラウザプログラムとを記憶し、ネットワークに接続するコンピュータでブラウザプログラムが起動されると、ＵＲＬが示すレシート情報活用サーバにアクセスする外部記憶装置である商品情報活用システムとしているので、外部記憶装置をコンピュータに接続すると、外部記憶装置からブラウザプログラムがコンピュータに読み込まれて起動され、レシート情報活用サーバにアクセスすることができ、ユーザは特別な操作を行わなくてもレシート情報活用サーバに接続して家計簿作成のサービスを受けることができる効果がある。
【０１０８】
本発明は、入力されたユーザの識別子とレシート情報とを対応付けて出力するＰＯＳ端末と、ＰＯＳ端末から入力されたレシート情報とユーザの識別子とを対応付けて記憶しておき、ユーザ利用のコンピュータから識別子を指定してレシート情報の要求があると、当該識別子に対応するレシート情報を出力する店舗サーバと、ユーザの識別子に対応して、識別子に対応するレシート情報を集計した家計簿データを記憶し、店舗サーバからユーザＩＤとレシート情報とが入力されると、レシート情報に基づいてユーザＩＤに対応する家計簿データを更新するレシート情報活用サーバとを備えた商品情報活用システムとしているので、外部記憶装置を用いなくてもユーザの識別子を入力すれば店舗サーバにレシート情報を蓄積し、レシート情報活用サーバで家計簿を作成することができる効果がある。
【０１０９】
本発明は、釣り銭で購入したポイントを蓄積する外部記憶装置と、ユーザによって、現金精算時に発生した釣り銭でポイントが購入された場合に、外部記憶装置にポイントを加算して蓄積するＰＯＳ端末とを備え、ポイントが、商品購入やサービス享受が可能なポイントである商品情報活用システムとしているので、ユーザはたくさんの小銭を持たなくて済み、蓄積されたポイントで商品やサービスを購入でき、利便性を向上させることができる効果がある。
【０１１０】
また、本発明は、外部記憶装置が、ポイントを購入する釣り銭の範囲を予め設定可能な外部記憶装置であり、ＰＯＳ端末が、外部記憶装置から釣り銭の範囲を読み取って、現金精算時に発生した釣り銭の中から、範囲に応じた金額でポイントを購入するＰＯＳ端末である商品情報活用システムとしているので、ユーザは、自分で設定した無理のない範囲でお釣りの一部をポイントとして蓄積することができ、知らず知らずの内にポイントを貯めることができる効果がある。
【０１１１】
本発明は、商品情報活用システムにおいて、ユーザの識別子と当該ユーザが購入した食品／食材の情報を入力するＰＯＳ端末と、ＰＯＳ端末に入力されたユーザの識別子と食品／食材の情報を取得する管理センタと、理想的な食事摂取状況のデータを記憶するデータベースと、ユーザの識別子に対応する食品／食材の情報を管理センタから取得し、データベースに記憶された理想的な食事摂取状況のデータと比較して当該ユーザに対する食事指導を提供する食生活支援サーバとを有するものであり、ユーザが購入した食品／食材を基にしてユーザに食事指導を行うことができる効果がある。
【０１１２】
本発明によれば、ユーザの識別子と当該ユーザが購入した食品／食材の情報を入力するＰＯＳ端末と、ＰＯＳ端末に入力されたユーザの識別子と食品／食材の情報を取得する管理センタと、理想的な食事摂取状況のデータを記憶するデータベースと、ユーザの識別子に対応する食品／食材の情報を管理センタから取得し、データベースに記憶された理想的な食事摂取状況のデータと比較して当該ユーザに対する食事指導を提供する食生活支援サーバとを有する商品情報活用システムとしているので、ユーザが購入した食品／食材を基にしてユーザに食事指導を行うことができる効果がある。
【０１１３】
本発明によれば、ＰＯＳ端末は、コンビニエンスストア又はスーパーマーケットに設けられたコンビニＰＯＳ端末又はスーパーＰＯＳ端末を含み、管理センタは、コンビニエンスストア又はスーパーマーケットを統括するコンビニ管理センタ又はスーパー管理センタを含み、管理センタで取得したユーザの識別子と食品／食材の情報を記憶するコンビニデータベース又はスーパーデータベースを設けた上記商品情報活用システムとしているので、コンビニエンスストア又はスーパーマーケットで購入した食品／食材を基にしてユーザに食事指導を行うことができる効果がある。
【０１１４】
本発明によれば、ユーザ利用のコンピュータ、携帯電話、コンビニマルチメディア端末を、ＰＯＳ端末で入力されなかった食品／食材の情報を入力するための装置とした上記商品情報活用システムとしているので、食事内容をユーザが補足的に入力することで、食事指導の精度を向上させることができる効果がある。
【０１１５】
本発明によれば、食生活支援サーバが、食事指導の内容に、理想的な食事摂取状況のデータと比較して過不足の食品／食材の情報を含ませ、当該食事指導に従う意向かあるか否かを問い合わせるアンケートを含ませる上記商品情報活用システムとしているので、ユーザへの食事指導を明確にすると共に、アンケートによって食事指導の成果を確認できる効果がある。
【０１１６】
本発明によれば、食生活支援サーバが、食事指導内容において、ユーザにとって不足する食品／食材の情報を該当するコンビニエンスストア又は該当するスーパーマーケットに提供する上記商品情報活用システムとしているので、食品／食材提供側ではユーザが欲する食品等を品揃えできる効果がある。
【図面の簡単な説明】
【図１】本発明の第１の実施の形態に係る商品情報活用システム（第１のシステム）の概略構成図である。
【図２】本発明の第２の実施の形態に係る商品情報活用システム（第２のシステム）の構成を示す構成ブロック図である。
【図３】本発明の第３の実施の形態に係る商品情報活用システム（第３のシステム）の概略構成図である。
【図４】本発明の第３の実施の形態に係る食事状況診断プログラムの動作を示すフローチャートである。
【符号の説明】
１…レシート情報活用サーバ、  ２…ＰＯＳ端末、  ４…ユーザＰＣ、  ５…ＵＳＢキー、  ６…メンバーカード、  １０…食生活支援サーバ、  １１…レシート作成手段、  １２…家計簿作成手段、  １３…食生活支援手段、  ２０…店舗サーバ、  ２１…スーパー管理センタ、  ２２…スーパーＤＢ、  ２３…スーパーＰＯＳ端末、  ３１…コンビニ管理センタ、  ３２…コンビニＤＢ、  ３３…コンビニＰＯＳ端末、  ３４…コンビニマルチメディア端末、  ４１…ＩＣカード、  ４２…携帯電話
【図１】
2004178476.tif 000003
【図２】
2004178476.tif 000004
【図３】
2004178476.tif 000005
【図４】
2004178476.tif 000006